(57)【要約】【課題】ユーザがその場にいない場合や深夜等において自動起動した場合の低消費電力化を図る。【解決手段】システムオーディオ装置１は、ＨＤＤドライブ２１と、ラジオチューナ２９と、本体とは別体のフラットパネルディスプレイ１４とを備えている。システムオーディオ装置１では、所定の時刻となった時に自動的に電源起動をし、チューナ２９によってラジオ放送を受信を開始し、ＨＤＤ２１に対して受信したオーディオデータを記録させる予約録音動作を行う。システムオーディオ装置１は、予約録音時には、フラットパネルディスプレイ１４に電源を投入せずに表示を行わせない。【選択図】  図３
2006004582.tif 000002
【特許請求の範囲】
【請求項１】
コンテンツデータを記録及び再生するコンテンツ記録再生装置において、
放送ネットワーク又は通信ネットワークからコンテンツデータを受信する受信手段と、
上記受信手段により受信されたコンテンツデータを記録媒体に対して記録し、上記記録媒体に記録されているコンテンツデータを再生する記録再生手段と、
上記受信手段により受信されたコンテンツデータ及び上記記録媒体に記録されているコンテンツデータを出力装置に出力する出力手段と、
上記出力装置とは異なる画像表示装置に対して制御情報を表示させる表示制御手段と、
上記受信手段、記録再生手段、出力手段及び表示制御手段を制御する制御手段とを備え、
上記制御手段は、
所定の時刻となった時に受信手段に対してコンテンツデータの受信を開始させて上記記録再生手段に対して受信したコンテンツデータを上記記録媒体に記録させる予約記録処理を行い、当該予約記録処理時には、上記表示制御手段を制御して上記画像表示装置に対して制御情報を表示させないこと
を特徴とするコンテンツ記録再生装置。
【請求項２】
上記画像表示装置は、本体と別体であること
を特徴とする請求項１記載のコンテンツ記録再生装置。
【請求項３】
上記制御手段は、上記予約記録処理時には、上記画像表示装置に対して電源を投入しないこと
を特徴とする請求項２記載のコンテンツ記録再生装置。
【発明の詳細な説明】
【技術分野】
【０００１】
本発明は、オーディオデータ等の記録及び再生を行うコンテンツ記録再生装置に関する。
【背景技術】
【０００２】
ＣＤ（Compact Disc）などの記録メディアに記録されたオーディオデータを再生したり、ＡＭ,ＦＭ音声放送等により放送されたオーディオデータを受信したりするオーディオ装置が普及している。
【０００３】
通常、オーディオ装置には、予約再生機能及び予約録音機能が設けられている。予約再生機能は、特定の時刻となると電源を起動して、記録メディアに記録されたオーディオデータや放送されたオーディオデータの出力を開始する処理である。予約再生機能は、目覚まし時計の代わりに用いられることが多い予約録音機能は、特定の時刻となると電源を起動して、ＡＭ,ＦＭ音声放送等により放送されたオーディオデータを記録メディアに記録する処理である。予約録音機能は、ユーザがその時刻にその場にいられない場合や、就寝してしまっている場合等に、装置に録音ボタンの操作処理を代行させる機能として用いられる。
【０００４】
また、オーディオ装置には、ユーザの制御用の表示部が設けられている。この表示部には、各種の制御データ、具体的には、ユーザ操作のためのインタフェース情報、コンテンツのメタ情報等が表示される。
【０００５】
【特許文献１】特開２００２−３２９８１号公報
【発明の開示】
【発明が解決しようとする課題】
【０００６】
ところで、近年、ＬＣＤ等のフラットパネルディスプレイの大型化が進み、オーディオ装置の表示部も、それに伴い大型化が進んでいる。
【０００７】
しかしながら、大型化が進むにつれ消費電力も大きくなっている。さらに、深夜等にオーディオ装置が起動している場合には、表示部の明かりが目障りになってしまうこともある。
【０００８】
本発明は、上述のような従来の実状に鑑みて提案されたものであり、ユーザの使い勝手を良くし、また、低消費電力化を図ったコンテンツ記録再生装置を提供することを目的とする。
【課題を解決するための手段】
【０００９】
上述した目的を達成するために、本発明に係るコンテンツ記録再生装置は、コンテンツデータを記録及び再生するコンテンツ記録再生装置であって、放送ネットワーク又は通信ネットワークからコンテンツデータを受信する受信手段と、上記受信手段により受信されたコンテンツデータを上記記録媒体に対して記録し、上記記録媒体に記録されているコンテンツデータを再生する記録再生手段と、上記受信手段により受信されたコンテンツデータ及び上記記録媒体に記録されているコンテンツデータを出力装置に出力する出力手段と、上記出力装置とは異なる画像表示装置に対して制御情報を表示させる表示制御手段と、上記受信手段、記録再生手段、出力手段及び表示制御手段を制御する制御手段とを備え、上記制御手段は、所定の時刻となった時に受信手段に対してコンテンツデータの受信を開始させて上記記録再生手段に対して受信したコンテンツデータを上記記録媒体に記録させる予約記録処理を行い、当該予約記録処理時には、上記表示制御手段を制御して上記画像表示装置に対して制御情報を表示させないことを特徴とする。
【発明の効果】
【００１０】
本発明に係るコンテンツ記録再生装置では、予約記録処理時には、画像表示装置に対して制御情報を表示させない。このことにより、本発明に係るコンテンツ記録再生装置ではユーザがその場にいない場合や深夜等において自動起動した場合には画像表示装置からの表示を停止するので、ユーザの使い勝手がよくなり、また、低消費電力化を図ることができる。
【発明を実施するための最良の形態】
【００１１】
以下、本発明を適用したシステムオーディオ装置について、図面を参照して詳細に説明する。
【００１２】
図１及び図２に、本発明が適用されたシステムオーディオ装置１の外観図を示す。
【００１３】
図１に示すように、本発明が適用されたシステムオーディオ装置１は、本体部１１と、左チャンネルのオーディオ信号を音に変換して出力する左スピーカ１２と、右チャンネルのオーディオ信号を音に変換して出力する右スピーカ１３と、ユーザインタフェース画像及びオーディオ信号のメタ情報等の制御情報を表示する表示装置１４と、操作入力用のリモートコントロール装置（以下、単にリモコンという。）１５とを備えている。
【００１４】
本体部１１は、略直方体状の筐体を有しており、当該筐体内に各種のデバイスが設けられている。本体部１１は、図２に示すように、前面パネル１１ａを開いた部分に、各種リムーバブルメディア（ＣＤ-ＲＯＭ（音楽ＣＤも含む。）、ＭＤ（ミニディスク）、メモリカード）が挿入される挿入口１１ｂが設けられている。本体部１１には、この挿入口１１ｂから、ＣＤ-ＲＯＭ、ＭＤ、メモリカードが内部に装着される。また、本体部１１には、ハードディスク（磁気ディスク）が内部に備えられている。
【００１５】
本体部１１は、各種記録メディア（ＣＤ-ＲＯＭ、ＭＤ、メモリカード、ハードディスクに対して、オーディオデータの記録及び再生を行う。本体部１１は、ＡＭ,ＦＭラジオ放送や衛星放送等の放送ネットワーク上で放送されているオーディオデータの受信を行う。本体部１１は、インターネット等の通信ネットワークに接続し、通信ネットワーク上に提供されているオーディオデータの受信を行う。本体部１１は、再生又は受信したオーディオデータを、アナログのオーディオ信号に変換及び電力増幅して左スピーカ１２及び右スピーカ１３に供給し、ユーザに対して音を出力する。また、本体部１１は、オーディオデータの著作権管理のための制御を行う。
【００１６】
左スピーカ１２及び右スピーカ１３は、背面側でオーディオケーブルにより本体部１１と接続されている。左スピーカ１２及び右スピーカ１３は、本体部１１からオーディオ信号が供給され、供給されたオーディオ信号を音に変換して出力する。
【００１７】
表示装置１４は、本体部１１とは別体のフラットパネルディスプレイである。表示装置１４は、背面側でビデオケーブルにより本体部１１と接続されている。表示装置１４は、本体部１１からビデオケーブルを介して画像信号が供給され、その画像信号に応じた表示を行う。
【００１８】
また、表示部１４は、背面側で電源ケーブルにより本体部１１と接続されている。表示装置１４は、電源ケーブルを介して本体部１１から電源供給がされている。表示装置１４は、画像信号が供給されているか否かに関わらず、本体部１１からの制御に応じて電源のオン/オフの制御がされる。そのため、表示装置１４は、画像信号が供給されていても、電源がオフであれば、表示は行われない。また、表示装置１４には、電源ボタン１４ａが設けられており、ユーザが強制的に電源をオンしたりオフしたりすることもできる。なお、表示装置１４は、本体部１１と別体であるため、本体部１１の筐体上部に設置するのみならず、ケーブルの届く範囲でどこに設置してもよい。
【００１９】
リモコン１５は、ユーザが当該システムオーディオ装置１に対する操作入力を行う装置である。リモコン１５は、無線通信により本体部１１と通信を行い、本体部１１に対してユーザの入力情報を供給する。
【００２０】
以上のような構成のシステムオーディオ装置１は、例えばユーザの部屋等に設置され、ユーザに音楽を提供するためのシステムとして機能をする。
【００２１】
次に、本体部１１の内部構成について説明をする。
【００２２】
図３に、本体部１１のブロック構成を示す。
【００２３】
本体部１１は、図３に示すように、ハードディスクドライブ（以下、ＨＤＤという）２１と、ＣＤ−ＲＯＭドライブ２２と、メモリカードドライブ２３と、通信インタフェース２４と、ミニディスク（商標）ドライブ（以下、ＭＤドライブという。）２５と、ＣＰＵ（Central Processing Unit）２６と、オーディオ信号処理部２７とを備えている。
【００２４】
ＨＤＤ２１は、記録媒体であるハードディスク（磁気ディスク）を内蔵し、当該ハードディスクに対してオーディオデータの記録及び再生を行う。具体的には、ＨＤＤ２１は、ＡＴＲＡＣ３やＭＰ３等といった所定の圧縮形式のオーディオデータをハードディスクから再生し、また、所定の圧縮形式のオーディオデータをハードディスクに記録する。ＨＤＤ２１は、ＩＤＥ（Inegrated Device Electronics）インタフェースを介してＣＰＵ２６により制御がされる。また、ＨＤＤ２１は、ＩＤＥインタフェースを介してＣＰＵ２６と所定形式で圧縮されたオーディオデータをやり取りする。
【００２５】
ＣＤ−ＲＯＭドライブ２２は、ＣＤ-ＲＯＭやＣＤ等が装着される。ＣＤ−ＲＯＭドライブ２２は、ＣＤ-ＲＯＭやＣＤ等からオーディオデータを再生する。ＣＤ−ＲＯＭドライブ２２は、ＩＤＥインタフェースを介してＣＰＵ２６により制御がされる。また、ＣＤ−ＲＯＭドライブ２２は、ＩＤＥインタフェースを介してＣＰＵ２６とオーディオデータをやり取りする。
【００２６】
メモリカードドライブ２３は、内部に不揮発性半導体メモリを備えたメモリカードが装着される。メモリカードドライブ２３は、メモリカードに対してオーディオデータの記録及び再生を行う。具体的には、メモリカードドライブ２３は、ＡＴＲＡＣ３やＭＰ３等といった所定の圧縮形式のオーディオデータをメモリカードから再生し、また、所定の圧縮形式のオーディオデータをメモリカードに対して記録する。メモリカードドライブ２３は、ＵＳＢ（Universal Serial Bus）インタフェースを介して、ＣＰＵ２６により制御がされる。また、メモリカードドライブ２３は、ＵＳＢインタフェースを介してＣＰＵ２６と所定形式で圧縮されたオーディオデータをやり取りする。
【００２７】
通信インタフェース２４は、インターネット等の通信ネットワーク上のサーバ等からオーディオデータをダウンロードしたり、当該サーバにオーディオデータをアップロードしたりするネットワーク処理回路である。通信インタフェース２４は、ＰＣＩインタフェースを介して、ＣＰＵ２６により制御がされる。また、通信インタフェース２４は、ＰＣＩインタフェースを介してＣＰＵ２６とオーディオデータをやり取りする。
【００２８】
ＭＤドライブ２５は、ＭＤが装着される。ＭＤドライブ２５は、ＵＳＢインタフェースを介してＡＴＲＡＣ３形式のオーディオデータを転送し、ＭＤへの記録を行う。また、再生時は、ＡＴＲＡＣ３をデコードしたＰＣＭデータがＳＰＤＩＦ（Sony Philips Digital Interface,ISO958）の形式で音質処理３０、オーディオ処理２７を経由してＣＰＵ２６へ転送される。なお、ＣＵＰ２６によるＭＤドライブ２５に対する制御は、ＵＳＢインタフェース回路２７を介して、いわゆるＮＥＴＭＤ規格のコマンドに準拠して行われる。
【００２９】
ＣＰＵ２６は、各種の演算処理並びにデバイス制御処理を行う。具体的には、各記録メディアに対応した符号化処理及び復号処理、インターネット等の通信ネットワークを介して送受信されるオーディオデータに対する符号化及び復号処理を行う。ＣＰＵ２６は、ハードディスク、メモリカード及びＭＤに対するオーディオデータの記録制御を行う。また、ＣＰＵ２６は、ハードディスク、ＣＤ-ＲＯＭやＣＤ等及び、メモリカード及びＭＤからオーディオデータの再生制御を行う。
【００３０】
オーディオ処理部２７は、スピーカ１２,１３へ出力するデジタルオーディオ信号の信号伸張処理等を行う。例えば、ＡＴＲＡＣ３やＭＰ３等の形式のデータをＰＣＭデータに変換する処理を行う。また、逆にＰＣＭデータを圧縮データに変換し、ＣＰＵ２６に送出することも行う。
【００３１】
また、本体部１１は、図３に示すように、デバイスコントローラ２８と、チューナ２９と、音質処理部３０と、オーディオアンプ３１と、リモートコントローラインタフェース回路（以下、リモコンＩ／Ｆという。）３２と、ビデオプロセッサ３３と、電源回路３４と、電源スイッチ３５とを備えている。
【００３２】
デバイスコントローラ２８は、本システムオーディオ装置１の全体の制御を行う。例えば、チューナ２９、音質処理部３０、オーディオアンプ３１、リモコンＩ／Ｆ３２等の制御を行う。また、デバイスコントローラ２８は、ＵＡＲＴ（Univesal Asynchronous receiver-taransceiver）回路によりＣＰＵ２６との間で通信を行い、ユーザからの指示等に応じてハードディスク、ＣＤ-ＲＯＭやＣＤ等の記録及び再生の制御命令を発行する。また、デバイスコントローラ２８は、ＣＰＵ２６から出力されたオーディオデータ及びチューナ２９から出力されたオーディオデータを、音質処理部３０に出力する。また、デバイスコントローラ２８は、いずれかの記録メディアへオーディオデータを録音する際には、チューナ２９で受信に関するデータをＣＰＵ２６へ出力する。
【００３３】
チューナ２９は、ＡＭ,ＦＭラジオ放送や衛星放送等で放送されているオーディオデータを受信する受信装置であり、受信したアナログ信号をA/D変換して出力する。
【００３４】
音質処理部３０は、ＣＰＵ２６から出力されたオーディオデータ、又は、チューナ２９から出力されたオーディオデータに対して各種の音質処理、また信号の選択を行う。また、音質処理部３０は、音質処理を行ったオーディオデータをＤＡ変換して、アナログのオーディオ信号にも変換する。また音質処理３０は選択した信号をオーディオ処理２７に送信する。
【００３５】
オーディオアンプ３１は、音質処理部３０から出力されたオーディオ信号が入力され、当該オーディオ信号の電力増幅をする。オーディオアンプ３１は、増幅したオーディオ信号をオーディオケーブルを介してスピーカ１２,１３に供給する。
【００３６】
リモコンＩ／Ｆ３２は、リモコン１５と無線通信により情報のやり取りを行う。リモコンＩ／Ｆ３２は、リモコン１５から受信した情報をデバイスコントローラに送信する。
【００３７】
ビデオプロセッサ３３は、表示装置１４に表示させる画像信号を生成する回路である。ビデオプロセッサ３３は、ＣＰＵ２６から与えられる制御信号（例えば、ユーザインタフェースを表示するための情報信号、コンテンツのメタデータ等を表示するための情報信号）が入力され、入力された制御信号を所定の映像フォーマットの画像信号に変換する。ビデオプロセッサ３３は、生成した画像信号をビデオケーブルを介して表示装置１４に供給する。
【００３８】
電源回路３４は、本システムオーディオ装置１の各回路に供給するための電源電圧を発生する。電源回路３４は、さらに、表示装置１４を駆動するための電源電圧も発生する。表示装置１４を駆動するための電源電圧は、電源スイッチ３５及び電源ケーブルを介して、表示装置１４に与えられる。
【００３９】
電源スイッチ３５は、表示装置１４に与えられる電源電圧の供給のオン／オフの制御を行う。つまり、電源スイッチ３５は、表示装置１４に与えられる電源電圧ラインを開放する（オフする）か、閉じる（オンする）。電源スイッチ３５がオンしているときには、表示装置１４に電源電圧が供給されて、表示装置１４がビデオプロセッサ３３から出力された画像信号を表示する。電源スイッチ３５がオフしているときには、表示装置１４に電源電圧が供給されずに、画像表示装置がビデオプロセッサ３３から出力された画像信号を表示せずに、画面が暗い状態となっている。電源スイッチ３５のオン／オフの制御は、デバイスコントローラ２８により行われる。
【００４０】
以上のような構成の本体部１１では、音楽出力を行う場合には、デバイスコントローラ２８は、各記録メディアから再生されたオーディオデータ又は通信ネットワークから受信されたオーディオデータ、又は、放送波から受信されたオーディオデータを、アナログのオーディオ信号に変換してオーディオアンプ３１に供給することにより、スピーカ１２，１３から音楽出力を行うよう、制御する。
【００４１】
また、記録メディアにオーディオデータの記録（録音）を行う場合には、デバイスコントローラ２８は、通信ネットワークから受信されたオーディオデータ、又は、放送波から受信されたオーディオデータをＣＰＵ２６に供給し、ある特定の記録メディア（ハードディスク、メモリカード又はＭＤ）に記録させるよう制御する。
【００４２】
また、デバイスコントローラ２８は、リモコン１５からの操作入力を受け付けて、音声出力、録音、表示装置１４への表示制御等の各種の制御を行う。
【００４３】
本発明が適用されたシステムオーディオ装置１では、以上のような構成を有することにより、ハードディスク、ＭＤ、メモリカードへのオーディオ録音、ハードディスク、ＭＤ、メモリカード、ＣＤ等からのオーディオ再生、インターネットからのオーディオデータのダウンロード、音声放送の受信等を行うことができる。
【００４４】
さらに、本発明が適用されたシステムオーディオ装置１では、本体部１１と別体とされた表示装置１４を有しているので、ユーザインタフェースやコンテンツのメタ情報をユーザにわかりやすく表示することができる。
【００４５】
つぎに、本発明が適用されたシステムオーディオ装置１による予約再生及び予約録音の動作について説明をする。
【００４６】
システムオーディオ装置１では、ある特定の時刻になった時に、装置の動作が停止している状態から装置を起動させて、記録メディアに記録されたオーディオデータ又は放送されたオーディオデータの出力を開始する予約再生を行う。
【００４７】
システムオーディオ装置１では、予約再生の機能を有することによって、当該システムオーディオ装置１を目覚まし時計の代わりに用いることができる。
【００４８】
また、システムオーディオ装置１では、ある特定の時刻になった時に、装置の動作が停止している状態から装置を起動させて、ラジオ放送等の放送ネットワークやインターネット等の通信ネットワーク上で放送されているオーディオデータを記録メディアに記録する予約録音を行う。
【００４９】
システムオーディオ装置１では、このような予約録音の機能を有することによって、ユーザがその時刻にその場にいられない場合や、就寝してしまっている場合等に、装置に録音ボタンの操作処理を代行させることができる。
【００５０】
ここで、システムオーディオ装置１は、予約再生による起動時を含む一般的な起動時には、表示装置１４も一緒に電源を投入して、制御情報（ユーザインタフェース画像やメタ情報等）を表示するが、予約録音による起動時には、表示装置１４には電源を投入せずに、制御情報を表示しない。
【００５１】
以上の制御は、デバイスコントローラ２８が、図４に示すような処理フローを実行することにより実現されている。
【００５２】
図４に示すように、デバイスコントローラ２８は、ステップＳ１において電源が投入されたか否かを判断し（ステップＳ１）、電源が投入された場合には、続いて、その電源投入が予約録音を実行するための電源投入かいなかを判断する（ステップＳ２）。
【００５３】
デバイスコントローラ２８は、ステップＳ２で予約録音による起動ではないと判断した場合には、電源スイッチ３５をオンとして、表示装置１４に対して電源を投入し、表示を行う（ステップＳ３）。
【００５４】
デバイスコントローラ２８は、ステップＳ２で予約録音による起動であると判断した場合には、電源スイッチ３５をオフとして、表示装置１４に対して電源を投入せず、表示を行わない（ステップＳ４）。
【００５５】
以上のように本発明が適用されたシステムオーディオ装置１では、予約録音時には、表示装置１４に対して電源投入を行わずに画面を暗くした状態とし、制御情報を表示しない。このことにより、システムオーディオ装置１では、ユーザがその場にいない場合や深夜等において自動起動した場合に画面は表示されない。そのため、例えば、ユーザが寝ている最中に画面が煌々と表示されてしまうことがないので、ユーザの使い勝手がよくなる。また、不必要な表示を行わないので、低消費電力化も図ることができる。
【００５６】
なお、本発明をシステムオーディオ装置１に適用した例を説明をしたが、例えばビデオ信号を録画する機器において、予約録画時に制御情報を表示する画面を消灯するように制御してもよい。
【図面の簡単な説明】
【００５７】
【図１】フロントパネルを閉じた状態での本発明が適用されたシステムオーディオ装置の外観図を示す。
【図２】フロントパネルを開いた状態での本発明が適用されたシステムオーディオ装置の外観図を示す。
【図３】本発明が適用されたシステムオーディオ装置のブロック構成図である。
【図４】電源投入時における表示装置へ供給する電源スイッチの制御フローを示す図である。
【符号の説明】
【００５８】
１  システムオーディオ装置、１１  本体部、１２  左スピーカ、１３  右スピーカ、１４  表示装置
【図１】
2006004582.tif 000003
【図２】
2006004582.tif 000004
【図３】
2006004582.tif 000005
【図４】
2006004582.tif 000006